(57)【要約】【目的】ペーパーホルダーからトイレットペーパーの先端を容易につまんで使用出来るようにする。【構成】ペーパーホルダー１に紙押さえ板３と紙戻り防止板４と紙乗せ板５と紙切り刃１２を設ける。使用する時は紙乗せ板５の上に乗っているペーパーを必要量引き出したら、紙押さえ板３を上から押し下げて紙乗せ板５に乗っているペーパーを挟み、ペーパーを紙切り刃１２で切って、紙押さえ板３より手を離すと紙押さえ板３は上に戻り、紙乗せ板５と紙切り刃１２が離れていた長さだけ、ペーパーの先端が出ている状態になり、次回はそれをつまんで引き出せる。それからペーパーホルダー１の部品に重（おも）り部２１を設けたり、重（おも）り部品２４を付加した構造にもできる。【選択図】　　　図２
2004136076.tif 000002
【特許請求の範囲】
【請求項１】
ペーパーホルダー１に紙乗せ板５を設けて、その上にペーパーのつまみ分を出してペーパーを乗せる構造のもの。
【請求項２】
ペーパーホルダー１に紙乗せ板５を設けて、その上にペーパーのつまみ分を出してペーパーを乗せる構造に、紙戻り防止板４を取り付けた構造のもの。
【請求項３】
ペーパーホルダー１に紙乗せ板５を設けて、その上にペーパーのつまみ分を出してペーパーを乗せる構造に、浮かした紙押さえ板３を設けて、それに紙切り刃１２を付けて、紙乗せ板５の上に乗っているペーパーを押えて、切ることが出来る構造のもの。
【請求項４】
ペーパーホルダー１に紙乗せ板５を設けて、その上にペーパーのつまみ分を出してペーパーを乗せる構造に、紙戻り防止板４を取り付け、その上に紙押さえ板３や紙切り刃１２を浮かした状態で設けた構造のもの。
【請求項５】
ペーパーホルダー１に紙起し板６を設けた構造のもの。
【請求項６】
ペーパーホルダー１で紙切りした後、つまみ部分を送り出す上ローラー１６と下ローラー１７を設けた構造のもの。
【請求項７】
ペーパーホルダー１に浮かした紙押さえ板３と紙押さえ下板７を設けた構造のもの。
【請求項８】
ペーパーホルダー１の紙押さえ板３や動きが早すぎる部品に、ダンパーギア１３を取り付けた構造のもの。
【請求項９】
ペーパーホルダー１にペーパーロール保持輪軸１８とペーパーロール保持輪１９を設けたもの。
【請求項１０】
ペーパーホルダー１のペーパーロール保持棒１４の形状を、トイレットペーパー２の巻芯の端面部分が当たらないように、逃がした形状にしたもの。
【請求項１１】
ペーパーホルダー１に紙乗せ板５を設けて、その上にペーパーのつまみ分を出してペーパーを乗せる構造に、円弧運動棒２７を設けて浮かせた紙押さえ板３や紙切り刃１２に連結させて、浮かせた紙押さえ板３の紙を押さえる部分や紙切り刃１２の部分を円弧運動をさせる構造のもの。
【請求項１２】
ペーパーホルダー１に円弧運動支持枠１０を設けて、その円弧運動支持枠１０に紙押さえ板３や紙切り刃１２の部品を取り付けた構造のもの。
【請求項１３】
ペーパーホルダー１に一体維持枠１１を設けて、ペーパーを切る時にペーパーのつまみ分の長さだけ引き下がり、ペーパーを切った後に元の位置に戻るとペーパーのつまみ分が出る構造のもの。
【請求項１４】
ペーパーホルダー１の紙押さえ板３に、紙を押さえる部分や紙切り刃１２の反対側が重くなるように、重（おも）り部２１を設けた構造のもの。
【請求項１５】
ペーパーホルダー１の紙押さえ板３や紙切り刃１２を円弧運動や連動させる部品に、重（おも）り部２１を設けた構造のもの。
【請求項１６】
ペーパーホルダー１に重（おも）り部品２４を設けて、紙押さえ板３に直接または間接に連結させたり、紙押さえ板３を取り付けた部品や連動する部品に連結させた構造のもの。
【請求項１７】
図３５、図３６のように、ペーパーホルダー１の本体に付いた受け板２８を設ける。円弧運動支持枠１０の円弧運動の支点穴３０を下側に長く広げて長穴にする。その支点穴３０があいている板の底辺が、円弧運動の後半途中から受け板２８に当たり始める構造のもの。
【請求項１８】
図３７、図３８のように、ペーパーホルダー１の紙切り刃１２の裏側にリブ３１を設け、紙戻り防止板４は紙切り刃１２の裏側近くまで長くし、リブ３１の当たる箇所を逃がして、使用時に切ったペーパーの先端が紙切り刃１２の裏側に静電気等で貼りつくのをリブ３１が防ぎ、そして紙切り刃１２が上側に戻るときに一緒にペーパーを引き上げるのを紙戻り防止板４で防ぐ構造のもの。
【請求項１９】
図３９、図４０のようにペーパーホルダー１の紙押さえ板３を上に起す支点２２は円弧運動支持枠１０の左側上方の位置にして、紙戻り防止板４を上に起す支点は本体の部分に設け、支点の位置は紙押さえ板３の支点２２の位置と同位置にする。それから紙押さえ板３の横板部分に円弧運動支持枠１０の円弧運動の支点穴３０を芯とした円周上の円弧長穴３２を設け、その円弧長穴３２に紙戻り防止板４から出した紙戻り防止板突起部３３を差し込んで、紙押さえ板３を押し下げたときの円弧運動では接触せず、紙押さえ板３を上側に起したときに紙押さえ板３の円弧長穴３２と紙戻り防止板突起部３３が引っ掛かって、紙戻り防止板４も一緒に起きる構造のもの。
【請求項２０】
請求項１９で紙押さえ板３と紙戻り防止板４を図４０ように一緒に起したときに、円弧運動支持枠１０の円弧運動を止めるために、円部Ｌを拡大した図４２のように円弧運動支持枠１０の円弧運動をする部分３４に、起した状態の紙戻り防止板４の支点の近くの部分３５が、接触や接近した位置になる構造のもの。
【請求項２１】
ペーパーホルダー１のトイレットペーパーロールの芯棒３６の形状を、トイレットペーパー２の巻芯の端面の変形部分が当たらないように、逃がした形状にしたもの。
【請求項２２】
ペーパーホルダー１に紙乗せ板５を設けて、その上にペーパーのつまみ分を出してペーパーを乗せる構造に、紙戻り防止板４を取り付ける。それに重（おも）り部２１を設けた部品を取り付けて、紙押さえ板３の紙を押さえる部分や紙切り刃１２が、自然状態では常に上側に上がった状態になる構造のもの。
【請求項２３】
ペーパーホルダー１に紙乗せ板５を設けて、その上にペーパーのつまみ分を出してペーパーを乗せる構造に、紙戻り防止板４を取り付ける。それに重り部品２４を設けて、その重さで紙押さえ板３の紙を押さえる部分や紙切り刃１２が、自然状態では常に上側に上がった状態になる構造のもの。
【請求項２４】
ペーパーホルダー１に紙乗せ板５を設けて、その上にペーパーのつまみ分を出してペーパーを乗せる構造に、紙戻り防止板４を取り付け、それに重（おも）り部２１を設けた部品かまたは重り部品２４を取り付け、その重さで紙押さえ板３の紙を押さえる部分や紙切り刃１２が、自然状態では常に上側に上がるようにして、そして紙切り刃１２の裏側にリブ２７を設け、紙戻り防止板４は紙切り刃１２の裏側近くまで長くし、リブ２７の当たる箇所を逃がした構造のもの。
【発明の詳細な説明】
【０００１】
【産業上の利用分野】
この発明は、トイレットペーパーを使用する時に、トイレットペーパーを使用しやすくするためのものです。
【０００２】
【従来の技術】
従来は、トイレットペーパーホルダーからトイレットペーパーを使用する時に、トイレットペーパーの先端が紙押さえ板や紙切り刃の下にあるので、トイレットペーパーのロールを回して、ペーパーの先端が出てきたら、それをつまんでペーパーを引き出して使用しています。またその外に、いろいろの型のトイレットペーパーホルダーがありますが、ペーパーの先端がつまみ易い形状のものが、なかなか見当りません。　またペーパーを引き出すとき、ひっかかったり、引き出しにくかったり、ガタガタ音がすることもあります。
【０００３】
【発明が解決しようとする課題】
トイレットペーパーの先端をつまもうとするには、ペーパーの先端が紙押さえ板や紙切り刃の下にあるので、ペーパーのロールを指先等で引っ掛けて何回か手前の方に回すと、ペーパーの先端が出てきますが、ペーパーの先端がロールに貼りついていたり、指の爪が短くなっているときなどと、その時の状態や状況でペーパーの先端を引き出して、それを起してから指先でつまんで引き出すことが、スムースに出来ないときは面倒なものです。そのうえ年令がかさむにつれて、益々スムースに出来なくなってきますと、イライラも生じ、精神的にもあまり良くないように感じます。それからペーパーを引き出すときガタガタ音がすると、周囲に余計な気を使ってしまうこともあり気分が疲れることもあります。
【０００４】
【課題を解決するための手段】
図２のように紙押さえ板３は、左側を支点にして右側が上下に動くようにスプリング等で浮かせた状態にし、右側にはのこぎり刃状の紙切り刃１２を設ける。紙乗せ板５は、トイレットペーパー２の右上方の位置に設けて、上に起せるように左側に支点を付ける。紙戻り防止板４は左側が支点になり、右側を自由に上下出来る様にして紙乗せ板５の上に乗せる。最初にトイレットペーパーをセットする時は図４のように紙押さえ板３と紙戻り防止板４と紙乗せ板５を、上に起してトイレットペーパー２をセットしてから、紙乗せ板５を右側に倒して、その上からトイレットペーパーを引き出し、そして紙押さえ板３と紙戻り防止板４を右側に倒すと、図２のようになり使用出来る状態になる。
請求項５は、図１３のように紙起し板６を紙乗せ板５の先端に取り付け、取り付けた所を支点にして自由に上下に振れるようにする。そして通常は円弧運動支持枠１０の右上方に出た部分で紙起し板６が起されていて、ペーパーを切るときは図１４のように円弧運動支持枠１０が右側へ回り、円弧運動支持枠１０の右上方に出た部分が紙起し板６から外れ、紙起し板６は下側に垂れる。
請求項６は、図１７のように紙押さえ下板７の右側が上に起せるように、左側に支点２２を付ける。その紙押さえ下板７に扇型ギア８と下ローラー１７を組み付けて一体構成し扇型ギア８と下ローラー１７のギアが噛み合っていて、扇型ギア８はスプリング等で上の位置に上がっている状態にする。紙押さえ板３と上ローラー１６を設け、左側を支点に上に起せる構造にして、紙押さえ板３の中程に下向きに突起部を付ける。上ローラー１６と下ローラー１７にはさまれたペーパーを引き出すときは、自由に引き出せて戻らないようにするために、ローラーに一方向クラッチなどを使用して逆転防止装置を付ける。そして扇型ギア８は最初下がるときは作用せず、上に戻るときに一方向クラッチが作用して下ローラー１７が回るようにする。
請求項７は、図１１のように紙押さえ下板７と紙乗せ板５を一体で設けて、直接ペーパーロール２の上に乗せた場合で、図１２のように紙押さえ板３の紙切り刃１２を押し下げて紙押さえ下板７と当たる構造にする。
請求項８は、図２１のように紙押さえ板３に扇型ギアを付けて、ペーパーホルダー１の本体に設けたダンパーギア１３と噛み合わせた構造にする。
請求項９は、図２４のようにペーパーロール保持輪軸１８を設け、それにペーパーロール保持輪１９を取り付けた構造にする。
請求項１０は、図２３のようにペーパーロール保持棒１４の形状を、トイレットペーパー２の巻芯の端面のキズや変形部分に当たらないようにする。
請求項１１は、図３４のように紙押さえ板３や紙切り刃１２に円弧運動棒２７を連結させ、紙押さえ板３の左側はペーパーホルダー１の本体や部品に設けた長穴２６でスライドさせる構造にする。またスライドの代わりに連結棒を設けて円弧運動をさせる構造ににしても作用は同等である。
請求項１２は、図１３のように円弧運動支持枠１０に紙押さえ板３や紙切り刃１２を取り付ける。
請求項１３は、図１５のように一体維持枠１１を設けて、それに紙乗せ板５や紙戻り防止板４やペーパーロール保持棒１４を取り付ける。また紙押さえ板３や紙切り刃１２や紙押さえ下板７も設けて、それらと紙乗せ板５や紙戻り防止板４は左側を支点に起せるようにする。そして連動棒１５を設けて紙押さえ板３や紙切り刃１２の動きと連動させるようにする。
請求項１４は、図２５のようにペーパーホルダー１の紙押さえ板３に、紙を押さえる部分や紙切り刃１２の反対側が重くなるように、重（おも）り部２１を設け、その中間部に支点２２を付け、支点２２より左側はすべて重りになって、右側より重くする方法。
請求項１５は、図２７のように円弧運動支持枠１０に、重（おも）り部２１を設ける方法。
請求項１６は、図２９、図３０、図３１、図３２、図３３、図３４のようにペーパーホルダー１に重り部品２４を設けて、紙押さえ板３に直接または間接に連結させたり、紙押さえ板３を乗せる部品や連動する部品に連結させる方法。
請求項１７は、図３５、図３６のように円弧運動支持枠１０が円弧運動する支点穴３０を長穴にして、その支点穴３０の開いている板の底辺が円弧運動で右側が下がってゆくと、当たり始める受け板２８を設ける方法。
請求項１８は、図３７、図３８のように紙押さえ板３の先端にある紙切り刃１２の裏側にリブ３１を設け、紙戻り防止板４は紙切り刃１２の裏側近くまで長くし、リブ３１の当たる箇所を逃がした形状にする。
請求項１９は、図３９、図４０のように紙押さえ板３を上に起せるように支点２２で、円弧運動支持枠１０に取り付け、そして紙戻り防止板４は支点を本体の部分に設け、支点の位置は紙押さえ板３の支点２２の位置と同位置にして、上に起せるようにする。また紙押さえ板３の横板部分に円弧運動支持枠１０の円弧運動の支点穴３０を芯とした円周上の円弧長穴３２を設け、その円弧長穴３２に紙戻り防止板４から出した紙戻り防止板突起部３３を差し込む方法。
請求項２０は、図４２ののように紙押さえ板３と紙戻り防止板４を一緒に起したときに、円弧運動支持枠１０の円弧運動をする部分３４に、ペーパーホルダー１の本体に取り付けた紙戻り防止板４の支点近くの部分３５が、すれすれに接近した位置になるようにする方法。
請求項２１は、図４３のようにペーパーホルダー１のトイレットペーパーロールの芯棒３６の形状を、トイレットペーパー２の巻芯の端面部分が当たらないように、逃がした形状にする。
【０００５】
【作用】
図２はペーパーホルダー１に、紙押さえ板３、紙戻り防止板４、紙乗せ板５、紙切り刃１２を装備して、通常の使用待機状態である。使用する時は紙乗せ板５と紙戻り防止板４のあいだから出ているトイレットペーパーを使用する長さに引き出したら、紙押さえ板３を押し下げると、図３の状態になり紙押さえ板３が紙戻り防止板４を一緒に押し下げるので、トイレットペーパーが挟まれ、引き出せなくなりトイレットペーパーを右方へ引くと紙押さえ板３の先端に付いている紙切り刃１２によってトイレットペーパーが切れ、そのトイレットペーパーの切れた先端は紙乗せ板５から離れている紙切り刃１２の位置になる。そして、紙押さえ板３から手を離すと紙押さえ板３が元の位置に上がり、図２の状態になりトイレットペーパーの先端は紙乗せ板５と紙切り刃１２の離れていた長さだけ、紙乗せ板５と紙戻り防止板４の間から出ているので、次に使用する時は、その出ているトイレットペーパーの先端をつまんで、容易に引き出すことが出来る。
請求項５は、図１３のように紙起し板６が紙乗せ板５の先端で自由に動き、通常は円弧運動支持枠１０の右上方に出た部分で上げられて紙起し板６は起きた位置になりペーパーの先端が乗っている。ペーパーを切るときは図１４のように円弧運動支持枠１０が右側へ回り、円弧運動支持枠１０の右上方に出た部分が紙起し板６から外れ、紙起し板６は下側に垂れ、押さえたペーパーを切った後はペーパーの先端を乗せて元の位置に戻り図１３の状態になる。
請求項６は、図１７の状態からペーパーの先端をつまんで引き出すときは自由に引き出せて、ペーパーを切る時は紙押さえ板３を押し下げると、図１８の状態になって扇型ギア８も一緒に下がるが下ローラー１７は一方向クラッチの作用で回らず、紙切り刃１２と紙押さえ下板７が合わさりペーパーをはさむので、ペーパーを右側に引いて切る。そして紙押さえ板３から手を離すと、図１７のようになり扇型ギア８も一緒に上がり、一方向クラッチの作用で下ローラー１７が回り接触している上ローラー１６も回るので挟まれているペーパーが出てくる。
請求項７は、図１１の状態からペーパーの先端をつまんで引き出し、ペーパーを切る時は紙押さえ板３を押し下げると、図１２の状態になって紙切り刃１２と紙押さえ下板７が合わさりペーパーをはさむので、ペーパーを右側に引いて切る。そして紙押さえ板３から手を離すと、図１１の状態に戻りペーパーのつまみ分が出る。
請求項８は、図２１のように紙押さえ板３の扇型ギアと、ペーパーホルダー１の本体に設けたダンパーギア１３が噛み合っているので、紙押さえ板３を押し下げた後ペーパーを切ってから紙押さえ板３から手を離すと、ダンパーギア１３が作用して紙押さえ板３がゆっくりと、静かに戻る。
請求項９と請求項１０と請求項２１は、トイレットペーパー２の巻芯の端面部分にキズがあったり、変形をしていることがあり、図２２の状態で使用すると、ひっかかったり、音が出たりするので、図２４のようにペーパーロール保持輪１９を付けたり、ペーパーロール保持棒１４の形状を図２３のようにしたり、トイレットペーパーロールの芯棒３６の形状を図４３のようにしたことで、ペーパーを引き出してもトイレットペーパー２の巻芯のキズや変形した端面部分が当たらなくなり、スムースに引き出せる。
請求項１１は、図３４のように紙押さえ板３や紙切り刃１２に円弧運動棒２７が連結し、紙押さえ板３の左側はペーパーホルダー１の本体や部品に設けた長穴２６でスライドさせたり、連結棒などで円弧運動にすれば、左側の動きは少ない動きになり、紙を押さえる部分や紙切り刃１２の先端が、コンパクトに円弧運動出来て、これを基本に他の部品を連結させたり、円弧運動棒２７に他の機能を加えたりすることで多様な可能性のペーパーホルダー１になる。
請求項１２は、図１３のように円弧運動支持枠１０に紙押さえ板３や紙切り刃１２を左側の位置を支点にして起せるように取り付ける。そして円弧運動支持枠１０は支点穴３０を芯に円弧運動をして、図１４のようになりペーパーを切り、紙押さえ板３や紙切り刃１２から手を離すとスプリング等で元の位置に戻る。
請求項１３は、図１５のように一体維持枠１１に紙乗せ板５や紙戻り防止板４やペーパーロール保持棒１４が付いていて、そこにトイレットペーパー２をセットする。使用時は紙押さえ板３や紙切り刃１２を押し下げると連動棒１５が一緒に動き、連動棒１５が一体維持枠１１を左側に動かすので支点２２の芯で一体維持枠１１は円弧運動をする。その一体維持枠１１に付いている紙乗せ板５や紙戻り防止板４は、図１６のように左側に移動し、紙切り刃１２がペーパーを押さえるのでペーパーを切って紙押さえ板３から手を離すと、一体維持枠１１はスプリング等で図１５のように元の位置に戻る。紙乗せ板５や紙戻り防止板４が円弧運動をした長さがペーパーのつまみ分になる。上記の紙切りのとき、紙押さえ下板７を用いないで紙切り刃１２のみでもペーパーを切ることが出来る。
請求項１４は、図２５のようにペーパーホルダー１の紙押さえ板３が中間部の支点２２を芯に円弧運動をして、右側の紙を押さえる部分や紙切り刃１２を押し下げた状態が図２６で、押さえたペーパーを右側へ引いて切ったら紙を押さえる部分から手を離すと、支点２２より左側は重（おも）り部２１で重いために自然に下側に下がって、図２５の状態に戻り次回の使用待機状態になる。
請求項１５は、図２７のように円弧運動支持枠１０に、紙押さえ板３が左側を支点に起せるように乗っていて、円弧運動支持枠１０の支点穴３０を芯に円弧運動をする。紙を押さえる部分や紙切り刃１２を押し下げた状態が図２８で、押さえたペーパーを右側へ引いて切ったら紙を押さえる部分から手を離すと、支点穴３０より左側は重（おも）り部２１で重いために自然に下側に下がり、図２７の状態に戻り次回の使用待機状態になる。
請求項１６は、図２９、図３０、図３１、図３２、図３３、図３４のようにペーパーホルダー１の重（おも）り部品２４が紙押さえ板３に直接または間接に連結していたり、紙押さえ板３を乗せる部品や連動する部品に連結している。紙を押さえる部分や紙切り刃１２を押し下げて、ペーパーを押さえ、切ったら紙を押さえる部分から手を離すと、連結している重り部品２４が重さで下側に自然に下がり、紙を押さえる部分や紙切り刃１２はその反作用で上げられて、次回の使用待機状態になる。
請求項１７は、円弧運動支持枠１０に乗っている紙押さえ板３の紙を押さえる部分や紙切り刃１２を押し下げると、図３５から図３６のように円弧運動支持枠１０は円弧運動をして支点穴３０の右側が下がってゆき、円弧運動の後半途中から図３６のＨの矢印の部分が受け板２８に当たり始め、それからはＨの矢印の部分が支点になって支点穴３０は上側に上がり始める。その時に紙押さえ板３の紙を押さえる部分や紙切り刃１２がペーパーを押さえるのでペーパーを切って、紙押さえ板３から手を離すとＨの矢印の部分を支点として、左側の重り部２１が下がり始めて、図３５の元の状態に戻る。
請求項１８は、図３７、図３８のように紙押さえ板３の先端にある紙切り刃１２の裏側のリブ３１と、紙戻り防止板４が紙切り刃１２の裏側近くまで長くなっているので、ペーパーを紙押さえ板３で押さえて切った後、ペーパーはリブ３１があるので紙切り刃１２の裏側に貼りつくこともなくなり、そして紙切り刃１２が上側に戻るときに紙戻り防止板４が長くなっているので、ペーパーを一緒に上に引き上げるのを防げる。
請求項１９は、図３９のように紙押さえ板３は左側の支点２２で円弧運動支持枠１０に付き、そして紙戻り防止板４の支点は本体の部分にあり、支点の位置は紙押さえ板３の支点２２の位置と同位置で、その支点２２を軸に紙押さえ板３と紙戻り防止板４が上側に起きる。紙押さえ板３の横板部分の円弧長穴３２に紙戻り防止板突起部３３は差し込まれていて、紙押さえ板３の紙を押さえる部分や紙切り刃１２を、押し下げてペーパーを切りそして元の位置に戻る行程のときは、円弧長穴３２と紙戻り防止板突起部３３は接触せず、紙押さえ板３を起すときは、図４０のように引っ掛かり紙戻り防止板４も一緒に起きる。
請求項２０は、図４２ののように紙押さえ板３と紙戻り防止板４を一緒に起したときに、円弧運動支持枠１０の円弧運動をする部分３４に、ペーパーホルダー１の本体に取り付けた紙戻り防止板４の支点近くの部分３５が、すれすれに接近した位置になることで、円弧運動支持枠１０の円弧運動が出来なくなる。
【０００６】
【実施例】
図５では、紙押さえ板３の先端に紙切り刃１２を付けて、左側の支点はトイレットペーパー２の上の当たりにして、その支点を保持する保持枠２０を設ける。保持枠２０は紙戻り防止板４の左側の支点と同じ位置を支点にして、紙押さえ板３と紙戻り防止板４が一緒に上に起せるようにする。紙乗せ板５は図２と同じ構造で、その上に紙戻り防止板４を乗せる。使用する時は紙押さえ板３を上から紙押さえると紙押さえ板３は円弧運動して下がり、紙戻り防止板４も一緒に押さえた状態が、図６でペーパーを右方へ引くと紙切り刃１２で切れ、紙押さえ板３より手を離すとスプリング等で元の位置に戻る。その他は図２、図３の説明と同じ内容である。また紙押さえ板３の左側に重（おも）り部２１を設けて自然復帰させることもできる。
図７では、紙押さえ板３の左側は保持枠２０の長穴に沿ってスライドし、右側の先端には紙切り刃１２を付け、右側より少し中央寄りに連結棒９を取り付ける。連結棒９の左端を保持枠２０に取り付けて、そこを支点に連結棒９が円弧運動出来るようにする。また保持枠２０に紙戻り防止板４を左側が支点になって右側が上下に自由に動くように取り付けて、保持枠２０は左端が支点になり紙押さえ板３や紙戻り防止板４と一緒に右側を起せる構造にする。紙乗せ板５は図２と同じ構造で、その上に紙戻り防止板４を乗せる。使用する時は紙押さえ板３を上から押さえると、左側はスライド運動をして、右側は円弧運動をして、紙戻り防止板４を一緒に押さえるので、図８の状態になりペーパーを右方へ引くと紙切り刃１２で切れ、そして紙押さえ板３より手を離すとスプリング等で元の位置に戻る。その他は図２、図３の説明と同じ内容である。
図９では、浮かせた紙押さえ板３の左側を支点にし、右側には紙切り刃１２を付け、それより少し左側の下方に突起を出す。紙押さえ下板７を設け、紙押さえ下板７の左上方に支点を持つ紙乗せ板５を取り付け、紙乗せ板５は折れる構造にしてスプリングで上方へ上げておき、紙乗せ板５の右側先端の形状は、ペーパーのつまむ部分の位置をへこませる。紙戻り防止板４を設けて左側は支点にして、右側は紙乗せ板５の上に乗せる。それから紙押さえ板３、紙戻り防止板４、紙押さえ下板７を左側が支点で上に起せるようにして、トイレットペーパー２をセットするときは図４と似た状態で行なう。使用するには、紙押さえ板３を上から押えると下に出ている突起によって紙乗せ板５は折れて、ペーパーと一緒に下側に折り込まれ、紙押さえ板３の紙切り刃１２と紙押さえ下板７が合わさり、図１０の状態になりペーパーを右方へ引くと切れる。紙押さえ板３から手を離すと、紙押さえ板３は元の位置にスプリング等で戻り、紙乗せ板５はスプリングによって上に戻され、図９の状態になり上に乗っていたペーパーは紙押さえ下板７の上に乗り出してくるので、そこをつまんで引き出せば次回の使用も容易になる。
図１１は、図２とほぼ同様ですが、異なる点は、紙乗せ板５と紙押さえ下板７を一体化してトイレットペーパー２のロールの上に直接乗せたところである。ペーパーを切る時は、紙押さえ板３の紙切り刃１２と紙押さえ下板７を合わせて切る場合と、紙押さえ板３の紙切り刃１２だけで切る場合もありどちらの設計にしても使える。またペーパーを引き出すとき抵抗が大きい場合は、トイレットペーパー２のロールと紙押さえ下板７の接点のところにローラーを取り付ければ抵抗が減少する。紙押さえ板３、紙戻り防止板４、紙乗せ板５、紙押さえ下板７の左側の支点は同一位置にする。図１２は紙押さえ板３を押し下げて紙切り刃１２と紙押さえ下板７が合わさり、ペーパーを右方へ引くと切れる状態の様子である。図１１と図１２の説明でその他のところは図２、図３の説明と同じ内容である。図１９は、トイレットペーパーを下から引き出すタイプで、紙切り刃１２の上に紙起し板６を設けスプリング等で斜め上方の位置に起させた構造にしたものである。使用する時はペーパーを右方へ引いて引き出し、切る時はペーパーを下の方に引くと紙起し板６も下方に倒れ図２０の状態になり、ペーパーが切れる。そして切れたペーパーは紙起し板６によって起され図１９の状態になり、起されたペーパーの先端は容易につまめ使用出来る。
図２１の扇形ギアの歯車部分の角度を９０度広げると、ペーパー交換時に紙押さえ板３を起してペーパーを交換して紙押さえ板３を倒すときにダンパーギア１３が作用して、静かに倒すことができる。
図３３、図３４はペーパーホルダー１の紙押さえ板３や重（おも）り部品２４に支点２２と連結部２３を設けて、直接または間接に連結して紙押さえ板３の右側は円弧運動をする。そして紙押さえ板３の左側は突起部を出して、ペーパーホルダー１の本体または部品のスライド用長穴２６に差し込こんでスライド出来るようにして、通常は重り部品２４が重さで下側に下がると、紙押さえ板３が連動して動き、紙を押える部分や紙切り刃１２が上側に上げられて使用待機状態になる。またスライドする部分を連結棒などを用いて、円弧運動をさせてもかまわない。そして他の図も同様に紙押さえ板３と重（おも）り部品２４の連結の間に、紙押さえ板乗せ台や連動台等を設けた構造にしても使用できる。
図２５、図２６、図２９、図３０のように、紙押さえ板３や紙切り刃１２の支点２２がペーパーホルダー１の左右の中間位置位になる場合や、図３１、図３３、図３４のように、紙押さえ板３や紙切り刃１２の連結部２３が右側にある場合などは、ペーパー交換時に上側に起さない型にして上側には棚等を設けて、ペーパー交換は前や下方で行なえる方法にする。また上側に起してペーパー交換を行なうようにするには、紙押さえ板３を乗せる部品を設けて、その部品に支点２２や連結部２３やスライド部を付けて図の紙押さえ板３と同じ作用をさせて、その部品の上に紙押さえ板３や紙切り刃１２を左側を支点に上に起せるように取り付ける。
図３０で紙押さえ板３と重（おも）り部品２４の連結に連結棒９を用いますが、その連結棒９にも重（おも）り部を設ければ復帰させる力を増すことが出来る。
図４１は紙押さえ板３と紙戻り防止板４を一緒に起こした状態で紙切り刃１２の部分の拡大図である。紙切り刃１２と紙戻り防止板４の位置の関係は、円弧長穴３２と紙戻り防止板突起部３３で決まっているので図の状態になる。この状態でも紙切り刃１２に手などを直接に触れることも無くなりますが、紙押さえ板３と紙戻り防止板４の同位置の支点をずらして、紙戻り防止板４の支点を上側に移動すると、その上げた分だけ紙戻り防止板４が上に競り上がって、紙切り刃１２の先まで覆うので紙切り刃１２の安全性はさらによくなる。それから紙押さえ板３の左側の支点がスライドする構造のものも同様に出来る。
紙押さえ板３や紙切り刃１２の自然復帰を良くする方法は、請求項１７の方法の他に、別の重（おも）り部品２４を設けて自然復帰を補助させてもよいし、補助スプリングを用いて復帰の補助をさせることも出来る。
図４２の円弧運動支持枠１０の円弧運動を止める方法は、ペーパーホルダー１の本体と紙押さえ板３に爪や凹凸を設けて、紙押さえ板３を起すと咬み合って固定する方法も出来る。
紙押さえ板３や紙切り刃１２の説明では、ほとんどで紙押さえ板３と紙切り刃１２を一体のものとして説明してきましたが、紙を押さえる部分の部品や紙切り刃の部品として、個々に取り付けたり、連結しても同等の作用を得られる。
ペーパーホルダー１のトイレットペーパーロールの芯棒で図４４のように芯なし用補助カラー３８も、トイレットペーパー２の巻芯の端面部分を当たらない形状にすることで効果が得られる。
トイレットペーパー２の交換の時、じゃまになる物は上方に起して行なう方法で説明しましたが、上に起さないで紙乗せ板５やペーパーロール保持棒１４を下げたり、前方に引き出して前方や横側や下方よりペーパー交換を行なうことも出来ます。
それから、この説明の図面は基本的な形で説明しましたが、紙押さえ板３、紙戻り防止板４、紙乗せ板５、紙切り刃１２、重（おも）り部２１、重り部品２４などの位置を左右上下に移動させたり、支点や連結部やスライドの位置を変えたり、形状を変えることで、いろいろな型のペーパーホルダーに、広範囲に対応して実施できる。また紙押さえ板３、紙戻り防止板４、紙乗せ板５、紙起し板６、紙押さえ下板７などで、板という形状の名を用いましたが、棒の形状にしたり、スプリング等の線材に置き換えても対応出来る。それから紙切り刃１２や紙押さえ下板７をハサミのようにペーパーを切り落とす切断刃に代えて、いままでの説明の中でペーパーを押える行程のときにペーパーを切り落とすようにしても使えます。そのうえにスイッチや電動モーターを取り付けると、ペーパーを引き出したらスイッチを押すか、触るだけでスイッチが入いるようにして、モーターで駆動してペーパーを切って、つまみ部分を出るようにすれば便利です。
【０００７】
【発明の効果】
以上の説明のようにトイレットペーパー２を使用する時は、いつでもペーパーの先端が出ているので、誰でも簡単につまんで引き出せるので容易に使用できます。それに引き出すときスムースに引き出せて静かに使用出来れば、穏やかな気分で、すませます。
請求項１１は、浮かせた紙押さえ板３や紙切り刃１２の円弧運動をコンパクトに出来て、重（おも）り部品２４等を組み込めば、利用価値は広がります。
請求項１２は、円弧運動支持枠１０の支点穴３０で円弧運動するのでシーソーのようになり、紙押さえ板３や円弧運動支持枠１０等の部品の重さが振り分けられて、元の位置に戻す力が小さくても済むようになり、スプリング等の引っ張り力や反発力を利用しても無理のない設計が出来る。また紙押さえ板３や紙切り刃１２が円弧運動支持枠１０の上に乗っているため、紙押さえ板３や紙切り刃１２をスプリング等で浮かした場合の、スプリングが弱ったり、破損して紙押さえ板３や紙切り刃１２が下がって、使用出来なくなることもなくなる。
ペーパーホルダー１のいろいろな作用を説明したなかで、スプリング等の金属部品を利用する場合がありましたが、金属部品は永年にわたっての使用では、金属疲労や部品寿命やサビ等などで故障にもつながり、もし故障になった時に部品の取り寄せに日時がかかったり、部品が生産中止になっていれば使用出来なくなったりするような製品では問題で、長い期間を安心して毎日使用出来なくなります。ペーパーホルダー１は毎日の必需品で一回でも利用出来ないようなことがあれば不便でたまりません。そこで図２５から図３４までの図のようにペーパーホルダー１の部品に重（おも）り部２１を設けたり、重（おも）り部品２４を設けて、その重さを利用して自然状態のときに紙押さえ板３の紙を押える部分や紙切り刃１２が上側に上がって使用待機状態になる構造にすれば、金属部品も使用することなく、海の近くの場所等の環境にも左右されず、一回取り付けたら１０年も２０年も使用でき、毎日何回も使用しても故障の心配も不要なペーパーホルダー１になり、安心で快適な使用が出来る。
それに動く力も重さのバランスの差だけなので動きも優しい動きになり、ペーパーを押える時もスプリングを使用したときのようにスプリングを押さえ込む余分な力も必要なくなり、小さな子供からお年寄りまで無理無く使用できる。
図３１から図３４までの図はペーパーホルダー１の重（おも）り部品２４に支点２２と連結部２３を設けて連結されているので、重り部品２４の重さは支点２２を介して、テコの原理も働くので復帰する力も強くなる。
請求項１７は、円弧運動支持枠１０に乗っている紙押さえ板３の紙を押さえる部分を押し下げた状態から手を離し、その後自然復帰させるようにするのですが、円弧運動の支点穴３０で重さのバランスをみると紙押さえ板３の紙を押さえる部分を押し下げると、紙を押さえる部分の方に重さが移動して自然復帰する力が弱まってしまうような設計や形状になってしまうこともあり、それを解決するためのもので、重さが支点に掛かっていたのが、図３６ののように底辺と受け板２８の当たっている位置に移り、その移動した長さの重さだけ紙押さえ板３の紙を押さえる部分の方が軽くなり、その反対側は重くなるので、紙押さえ板３の紙を押さえる部分の自然復帰する最初の力が増し確実性がよくなる。
請求項１８は、図３７、図３８のように紙切り刃１２にリブ３１を付け、紙戻り防止板４を長くしたことで、薄いペーパーが紙切り刃１２に貼りついたり、紙切り刃１２が元の位置に戻るときに引き込まれたりしないで、いつも安定してペーパーのつまみ部分を出せる。
請求項１９は、図３９、図４０のように紙押さえ板３の円弧長穴３２に紙戻り防止板突起部３３が差し込まれているので、紙押さえ板３を起すと紙戻り防止板４も一緒に起きるので、ペーパー交換時にバラバラで起すより面倒でなく、起きた状態も図４１のように紙押さえ板３と紙戻り防止板４の位置が固定されていて、紙切り刃１２を紙戻り防止板４で保護できるので、紙切り刃に手などが触れることがなくなりペーパー交換時の安全性がよくなる。
請求項２０は、図４２のように紙押さえ板３と紙戻り防止板４を起した状態のとき、紙戻り防止板４の支点近くの部分３５で紙押さえ板３を乗せている円弧運動支持枠１０を自由に動けないように押えているので、グラつかず安定な状態を保てるのでペーパー交換のときなどに安心して行なえる。またペーパーホルダー１の本体や紙押さえ板３に爪や凹凸を設け、紙押さえ板３を起したときに咬み合わせて固定しても同様の効果が得られる。
それから電動式にして、ペーパーを引き出してその状態でペーパーの上からスイッチを押せる構造にすれば、ペーパーホルダー１に手を一切触れることなく使用することが出来るようになり、不特定多数の人の使用する所には向いている。
【図面の簡単な説明】
【図１】ペーパーホルダー１の正面図。以下の図は、図１のペーパーホルダー１の正面図の一点鎖線ＡＢを左側から見た断面図、図５からの断面図は説明に必要な部分や部品を書き表わしたので、断面の位置は図１の一点鎖線ＡＢと異なる位置になる場合もあり、一点鎖線ＡＢは目安として見て下さい。図３より説明に必要な部分のみをを描いた図で、紙乗せ板５の支点は、図３、４、５、６、７、８、９、１０、１３、１４、２１、２７、２８、３２、３９、４０の各図が、図２とほぼ同様とする。
【図２】ペーパーホルダー１の通常時の使用待機状態。
【図３】ペーパーホルダー１のペーパーを引き出して、紙押さえ板３を押し下げてペーパーを押さえた状態。
【図４】ペーパーホルダー１のペーパーロール交換時の状態。
【図５】と
【図６】上記と異なる実施例の断面図。
【図７】と
【図８】上記と異なる実施例の断面図。
【図９】と
【図１０】上記と異なる実施例の断面図。
【図１１】と
【図１２】請求項７を実施した断面図。
【図１３】と
【図１４】請求項５を実施した断面図。
【図１５】と
【図１６】請求項１３を実施した断面図。
【図１７】と
【図１８】請求項６を実施した断面図。
【図１９】と
【図２０】上記と異なる実施例の断面図。
【図２１】図２にダンパーギア１３を取り付けた断面図。
【図２２】図２１の一点鎖線ＣＤを右側から見た図でペーパーホルダー１にトイレットペーパーをセツトした状態でトイレットペーパーのみを縦割り断面にした図。
【図２３】請求項１０を実施した断面図。
【図２４】請求項９を実施した断面図。（図２５よりペーパーホルダー１の部品で説明に必要な部品のみだけを書き表わして、説明に関係ないものは省略します。）
【図２５】紙押さえ板３に重（おも）り部２１を設けて自然時の状態。
【図２６】図２５の紙押さえ板３の紙を押さえる部分を押し下げたときの状態。（紙戻り防止板４と紙乗せ板５も図２７から図３４まで、図２５と同様の図になるので省略する。）
【図２７】円弧運動支持枠１０に重（おも）り部２１を設けて自然時の状態。
【図２８】図２７の紙押さえ板３の紙を押さえる部分を押し下げたときの状態。
【図２９】重（おも）り部品２４を設け、紙押さえ板３に直接に連結をした状態。
【図３０】重（おも）り部品２４に支点２２を設け、紙押さえ板３と連結棒９で連結した状態。
【図３１】重（おも）り部品２４に支点２２を設けて重りの反作用を使って紙押さえ板３と連結棒９で連結した状態。
【図３２】紙押さえ板乗せ連動台２５に重り部品２４を連結した状態。
【図３３】重（おも）り部品２４を設け、紙押さえ板３は左側をスライド出来るようにして、直接に連結をした状態。
【図３４】重（おも）り部品２４を設け、紙押さえ板３は左側をスライド出来るようにして、間接に連結をした状態。
【図３５】図２７の円部Ｅの部分に請求項１７を施した拡大図。
【図３６】図２８の円部Ｆの部分に請求項１７を施した拡大図。
【図３７】紙切り刃１２の裏にリブ３１を設け、紙戻り防止板４の先端を長くした状態の部分拡大図。
【図３８】図３７のＩからＪの一点鎖線を矢印左方向から見た、紙切り刃１２の裏側の部分拡大図。
【図３９】紙押さえ板３が円弧運動支持枠１０に乗っている通常の使用待機状態。
【図４０】ペーパーロール交換時に紙押さえ板３と紙戻り防止板４を上に起した状態。
【図４１】図４０の円部Ｋの部分拡大図。
【図４２】図４０の円部Ｌの部分拡大図。
【図４３】ペーパーホルダー１のトイレットペーパーロールの芯棒３６の片側拡大図。
【図４４】ペーパーホルダー１のトイレットペーパー芯なし用芯棒３７に、トイレットペーパー芯なし用芯棒の補助カラー３８をセットした片側拡大図。
【符号の説明】
１　ペーパーホルダー
２　トイレットペーパー
３　紙押さえ板
４　紙戻り防止板
５　紙乗せ板
６　紙起し板
７　紙押さえ下板
８　扇形ギア
９　連結棒
１０　円弧運動支持枠
１１　一体維持枠
１２　紙切り刃
１３　ダンパーギア
１４　ペーパーロール保持棒
１５　連動棒
１６　上ローラー
１７　下ローラー
１８　ペーパーロール保持輪軸
１９　ペーパーロール保持輪
２０　保持枠
２１　重（おも）り部
２２　支点
２３　連結部
２４　重（おも）り部品
２５　紙押さえ板乗せ連動台
２６　スライド用長穴
２７　円弧運動棒
２８　受け板
２９　支点軸
３０　支点穴
３１　リブ
３２　円弧長穴
３３　紙戻り防止板突起部
３４　円弧運動をする部分
３５　紙戻り防止板４の支点近くの部分
３６　トイレットペーパーロールの芯棒
３７　トイレットペーパー芯なし用芯棒
３８　トイレットペーパー芯なし用芯棒の補助カラー
【図１】
2004136076.tif 000003
【図２】
2004136076.tif 000004
【図３】
2004136076.tif 000005
【図４】
2004136076.tif 000006
【図５】
2004136076.tif 000007
【図６】
2004136076.tif 000008
【図７】
2004136076.tif 000009
【図８】
2004136076.tif 000010
【図９】
2004136076.tif 000011
【図１０】
2004136076.tif 000012
【図１１】
2004136076.tif 000013
【図１２】
2004136076.tif 000014
【図１３】
2004136076.tif 000015
【図１４】
2004136076.tif 000016
【図１５】
2004136076.tif 000017
【図１６】
2004136076.tif 000018
【図１７】
2004136076.tif 000019
【図１８】
2004136076.tif 000020
【図１９】
2004136076.tif 000021
【図２０】
2004136076.tif 000022
【図２１】
2004136076.tif 000023
【図２２】
2004136076.tif 000024
【図２３】
2004136076.tif 000025
【図２４】
2004136076.tif 000026
【図２５】
2004136076.tif 000027
【図２６】
2004136076.tif 000028
【図２７】
2004136076.tif 000029
【図２８】
2004136076.tif 000030
【図２９】
2004136076.tif 000031
【図３０】
2004136076.tif 000032
【図３１】
2004136076.tif 000033
【図３２】
2004136076.tif 000034
【図３３】
2004136076.tif 000035
【図３４】
2004136076.tif 000036
【図３５】
2004136076.tif 000037
【図３６】
2004136076.tif 000038
【図３７】
2004136076.tif 000039
【図３８】
2004136076.tif 000040
【図３９】
2004136076.tif 000041
【図４０】
2004136076.tif 000042
【図４１】
2004136076.tif 000043
【図４２】
2004136076.tif 000044
【図４３】
2004136076.tif 000045
【図４４】
2004136076.tif 000046
【手続補正書】
【提出日】平成15年8月25日(2003.8.25)
【手続補正１】
【補正対象書類名】明細書
【補正対象項目名】図面の簡単な説明
【補正方法】変更
【補正の内容】
【図面の簡単な説明】
【図１】ペーパーホルダー１の正面図。
以下の図で、図２２、２３、２４、３５、３６、３７、３８、４１、４２、４３、４４を除く図は、図１のペーパーホルダー１の正面図の一点鎖線ＡＢを左側から見た断面図、図５からの断面図は説明に必要な部分や部品を書き表わしたので、断面の位置は図１の一点鎖線ＡＢと若干異なる位置になる場合もあり、一点鎖線ＡＢは目安として見て下さい。図３より説明に必要な部分のみをを描いた図で、紙乗せ板５の支点は、図３、４、５、６、７、８、９、１０、１３、１４、２１、２７、２８、３２、３９、４０の各図が、図２とほぼ同様とする。
【図２】ペーパーホルダー１の通常時の使用待機状態の断面図。
【図３】ペーパーホルダー１のペーパーを引き出して、紙押さえ板３を押し下げてペーパーを押さえた状態の断面図。
【図４】ペーパーホルダー１のペーパーロール交換時の状態の断面図。
【図５】上記と異なる実施例の断面図。
【図６】図５の紙押さえ板３を押し下げて、ペーパーを押さえた状態の断面図。
【図７】上記と異なる実施例の断面図。
【図８】図７の紙押さえ板３を押し下げて、ペーパーを押さえた状態の断面図。
【図９】上記と異なる実施例の断面図。
【図１０】図９の紙押さえ板３を押し下げて、ペーパーを押さえた状態の断面図。
【図１１】請求項７を実施した断面図。
【図１２】図１１の紙押さえ板３を押し下げて、ペーパーを押さえた状態の断面図。
【図１３】請求項５を実施した断面図。
【図１４】図１３の紙押さえ板３を押し下げて、ペーパーを押さえた状態の断面図。
【図１５】請求項１３を実施した断面図。
【図１６】図１５の紙押さえ板３を押し下げて、ペーパーを押さえた状態の断面図。
【図１７】請求項６を実施した断面図。
【図１８】図１７の紙押さえ板３を押し下げて、ペーパーを押さえた状態の断面図。
【図１９】上記と異なる実施例の断面図。
【図２０】図１９のペーパーの先端を引き出して、ペーパーを切るために紙切り刃１２に当てた状態の断面図。
【図２１】図２にダンパーギア１３を取り付けた状態の断面図。
【図２２】図２１の一点鎖線ＣＤを右側から見た図でペーパーホルダー１にトイレットペーパー２をセットした状態でトイレットペーパー２のみを縦割り断面にした図。
【図２３】図２２に請求項１０を実施した断面図。
【図２４】図２２に請求項９を実施した断面図。
図２５よりペーパーホルダー１の部品で説明に必要な部品のみだけを書き表わして、説明に関係ないものは省略します。
紙戻り防止板４と紙乗せ板５も図２７から図３４まで、図２５と同様の図になるので省略する。
【図２５】紙押さえ板３に重（おも）り部２１を設けて自然時の状態の断面図。
【図２６】図２５の紙押さえ板３の紙を押さえる部分を押し下げたときの状態の断面図。
【図２７】円弧運動支持枠１０に重（おも）り部２１を設けて自然時の状態の断面図。
【図２８】図２７の紙押さえ板３の紙を押さえる部分を押し下げたときの状態の断面図。
【図２９】重（おも）り部品２４を設け、紙押さえ板３に直接に連結をした状態の断面図。
【図３０】重（おも）り部品２４に支点２２を設け、紙押さえ板３と連結棒９で連結した状態の断面図。
【図３１】重（おも）り部品２４に支点２２を設けて重りの反作用を使って紙押さえ板３と連結棒９で連結した状態の断面図。
【図３２】紙押さえ板乗せ連動台２５に重り部品２４を連結した状態の断面図。
【図３３】重（おも）り部品２４を設け、紙押さえ板３は左側をスライド出来るようにして、直接に連結をした状態の断面図。
【図３４】重（おも）り部品２４を設け、紙押さえ板３は左側をスライド出来るようにして、間接に連結をした状態の断面図。
【図３５】図２７の円部Ｅの部分に請求項１７を施した拡大図。
【図３６】図２８の円部Ｆの部分に請求項１７を施した拡大図。
【図３７】紙切り刃１２の裏にリブ３１を設け、紙戻り防止板４の先端を長くした状態の部分拡大図。
【図３８】図３７のＩからＪの一点鎖線を矢印左方向から見た、紙切り刃１２の裏側の部分拡大図。
【図３９】紙押さえ板３が円弧運動支持枠１０に乗っている通常の使用待機状態の断面図。
【図４０】ペーパーロール交換時に紙押さえ板３と紙戻り防止板４を上に起した状態の断面図。
【図４１】図４０の円部Ｋの部分拡大図。
【図４２】図４０の円部Ｌの部分拡大図。
【図４３】ペーパーホルダー１のトイレットペーパーロールの芯棒３６の片側拡大図。
【図４４】ペーパーホルダー１のトイレットペーパー芯なし用芯棒３７に、トイレットペーパー芯なし用芯棒の補助カラー３８をセットした片側拡大図。
【符号の説明】
１　ペーパーホルダー
２　トイレットペーパー
３　紙押さえ板
４　紙戻り防止板
５　紙乗せ板
６　紙起し板
７　紙押さえ下板
８　扇形ギア
９　連結棒
１０　円弧運動支持枠
１１　一体維持枠
１２　紙切り刃
１３　ダンパーギア
１４　ペーパーロール保持棒
１５　連動棒
１６　上ローラー
１７　下ローラー
１８　ペーパーロール保持輪軸
１９　ペーパーロール保持輪
２０　保持枠
２１　重（おも）り部
２２　支点
２３　連結部
２４　重（おも）り部品
２５　紙押さえ板乗せ連動台
２Ｂ　スライド用長穴
２７　円弧運動棒
２８　受け板
２９　支点軸
３０　支点穴
３１　リブ
３２　円弧長穴
３３　紙戻り防止板突起部
３４　円弧運動をする部分
３５　紙戻り防止板４の支点近くの部分
３６　トイレットペーパーロールの芯棒
３７　トイレットペーパー芯なし用芯棒
３８　トイレットペーパー芯なし用芯棒の補助カラー